(57)【要約】【課題】解体や廃棄処理に優れ地球環境にやさしく、段積みした状態の輸送に適し、位置決めと荷くずれの発生しにくい梱包容器を提供する。【解決手段】段ボールを型抜きした型紙は、底部１の四周辺部に側壁部２，３および端壁部４，５を連接しており、折曲して二重構造の壁を構成すると、側壁部２と端壁部４が外壁面、側壁部３と端壁部５が内壁面となる。まず、側壁部２を底部１との折目線で折曲し、横フラップ１０を内側に折曲する。次に端壁部４を底部１との折目線で折曲し、さらに端壁部５を端壁部４との折目線で内側に折曲する。このとき横フラップ１０を端壁部４と端壁部５で挟み込むとともに、突部５ａを係合孔部７に挿入する。【選択図】図１
2005239168.tif 000002
【特許請求の範囲】
【請求項１】
緩衝材を型抜きした型紙を折曲し、底部に連接して対向する二重構造の側壁部および端壁部で開口部を形成する包装箱において、二重の側壁部および端壁部の外壁面と一体化した突起部を少なくとも１箇所以上開口部に設けるとともに、二重構造の側壁部および端壁部を形成するための係合孔部と、前記突起部と係合する嵌合孔部とを、前記底部の四周辺部に設けた包装箱を複数備え、前記包装箱を段積みしたときに底部の嵌合孔部に突起部を嵌合させて位置決めすることを特徴とした梱包容器。
【請求項２】
包装箱は段ボールからなり、側壁部または端壁部の外壁面に連接した横フラップと、外壁面に連接されるとともに前記横フラップに隣接し、斜めの切込線を有し略台形状で外側に段部を有する補強片とを備え、包装箱を段積みしたときに下段に落下するのを防止する角受部を四隅に形成するとともに、底部の四隅付近に設けた孔部に前記補強片の段部を係合させて高さ方向に補強した請求項１に記載の梱包容器。
【請求項３】
包装箱の開口部に収納され、方形孔部を複数配列した緩衝材からなる型紙を備え、前記型紙でモータを上下に挟み込むように配設してモータ外枠を位置決め保持する請求項２に記載の梱包容器。
【発明の詳細な説明】
【技術分野】
【０００１】
本発明は包装箱を多段に重ねて輸送する梱包容器に関するものである。
【背景技術】
【０００２】
製品が多種多様化するなかで、製品を収納したトレイを入れる梱包容器としてプラスチック製のものが実用に共されている。プラスチック製の梱包容器は強度面から段積みも容易であり、位置決めと荷くずれしにくいことから広く一般に使用されている。
【０００３】
一方、生産地が各地域にまたがり、物流面からみても梱包容器の必要性が大きな割合を占めており、昨今の地球環境保護の観点やコスト面からプラスチックにかわる材質として段ボールが見直されている。
【０００４】
段ボールを材質として、底部を有し上方に開口部をもつ包装容器において、容易に組立可能で運搬や保管時には扁平に折りたたんで省スペース化を実現するとともに、物品の収納や包装時には簡単に使用可能な状態に立ち上げることができる包装容器が知られている（例えば、特許文献１参照）。
【特許文献１】特開２００２−１９３２４３号公報
【発明の開示】
【発明が解決しようとする課題】
【０００５】
解決しようとする問題点は、使用可能な状態に立ち上げるためには接着剤を使用する必要があり、事前の接着工程が必要となり、コストおよび調達面などに問題があった。また、包装箱を段積みしたとき、位置決めと荷くずれの防止とを同時に解決できない。すなわち、四隅に受面を設けて段積みすると左右にずれ易く、四隅に突起を設ける構成では突起が外に折れ曲がるなど突起強度に問題があり、突起および受面はどちらも四隅に設けるため同時に実施することができず一長一短があった。
【０００６】
本発明は上記の課題を解決するものであり、解体や廃棄処理に優れ地球環境にやさしく、段積みした状態の輸送に適し、位置決めと荷くずれの発生しにくい梱包容器を提供することを目的とする。
【課題を解決するための手段】
【０００７】
上記の課題を解決するために本発明は、緩衝材を型抜きした型紙を折曲し、底部に連接して対向する二重構造の側壁部および端壁部で開口部を形成する包装箱において、二重の側壁部および端壁部の外壁面と一体化した突起部を少なくとも１箇所以上開口部に設けるとともに、二重構造の側壁部および端壁部を形成するための係合孔部と、前記突起部と係合する嵌合孔部とを、前記底部の四周辺部に設けた包装箱を複数備え、前記包装箱を段積みしたときに底部の嵌合孔部に突起部を嵌合させて位置決めする梱包容器である。
【０００８】
また、包装箱は段ボールからなり、側壁部または端壁部の外壁面に連接した横フラップと、外壁面に連接されるとともに前記横フラップに隣接し、斜めの切込線を有し略台形状で外側に段部を有する補強片とを備え、包装箱を段積みしたときに下段に落下するのを防止する角受部を四隅に形成するとともに、底部の四隅付近に設けた孔部に前記補強片の段部を係合させて高さ方向に補強したものである。
【発明の効果】
【０００９】
本発明の梱包容器によれば、折曲および凹凸嵌合の容易な作業だけで包装箱の組み立て
できるとともに解体や廃棄処理が容易化できる。
【００１０】
また、段積みで輸送する場合にも嵌合孔部と突起部と嵌合により確実な位置決めができ、四隅の角受部と併せて荷くずれしにくく、側壁部および端壁部が二重構造となっているため製品を収納したトレイの保護も十分可能となる。
【発明を実施するための最良の形態】
【００１１】
二重の側壁部および端壁部の外壁面と一体化した突起部を少なくとも１箇所以上開口部に設けるとともに、二重構造の側壁部および端壁部を形成するための係合孔部と、前記突起部と係合する嵌合孔部とを、前記底部の四周辺部に設けた包装箱を複数備え、前記包装箱は段ボールからなり、側壁部または端壁部の外壁面に連接した横フラップと、外壁面に連接されるとともに前記横フラップに隣接し、斜めの切込線を有し略台形状で外側に段部を有する補強片とを備え、包装箱を段積みしたときに下段に落下するのを防止する角受部を四隅に形成するとともに、底部の四隅付近に設けた孔部に前記補強片の段部を係合させて高さ方向に補強し、前記包装箱を段積みするときに底部の嵌合孔部に突起部を嵌合させて位置決めする。
【実施例】
【００１２】
図１において、１は底部、２および３は側壁部、４および５は端壁部、６および８は突起部、７および９は嵌合孔部、１０は横フラップ、１１は補強片、１２は係合孔部、１３は孔部、１４は切込線である。
【００１３】
突起部６，突起部８は切込みにより形成され、補強片１１は側壁部２に連接され斜めの切込線１４で側壁部３と切り離され、側壁部２に連接された横フラップ１０の横に隣接して設けられている。
【００１４】
ここで包装箱の組立方法について説明する。段ボールを型抜きした型紙は、底部１の四辺に側壁部２，３および端壁部４，５を連接しており、折曲して二重構造の壁を構成する。このとき、側壁部２と端壁部４が外壁面、側壁部３と端壁部５が内壁面となる。
【００１５】
まず、側壁部２を底部１との折目線で折曲し、横フラップ１０を内側に折曲する。次に端壁部４を底部１との折目線で折曲し、さらに端壁部５を端壁部４との折目線で内側に折曲する。このとき横フラップ１０を端壁部４と端壁部５で挟み込むとともに、突部５ａを嵌合孔部７に挿入すると図２の状態になる。本実施例では嵌合孔部７は係合孔の役目もする。
【００１６】
次に、側壁部３を側壁部２との折目線で内側（矢印方向）折曲し、側壁部３の外側に設けた突部３ａを底部１に設けた係合孔部１２に挿入する。さらに、補強片１１を側壁部２との折目線および直角方向に折曲して角受部を形成するとともに、底部１の孔部１３に補強片１１の凸部を挿入して包装箱が完成する。
【００１７】
図３に示すように、完成した包装箱を段積みするとき、二重構造の壁の端面部に突出した突起部６を上段の包装箱の底部１に設けた嵌合孔部７と嵌合、同様に突起部８と嵌合孔部９に嵌合させれば位置決めしながら段積みができる。また、四隅に設けた角受部により下段の開口部に落ち込むことを防止できる。
【００１８】
なお、角受部を構成するために設ける斜めの切込線は直線に限定する必要はなく、円弧状にしてもよい。
【００１９】
図示はしないが、包装箱にモータを収納するには、緩衝材としてモータの外枠を位置決
め保持する方形孔部を複数配列して型抜きした段ボール製の内装用型紙を準備すればよく、モータ外枠に対して上下に配設して挟み込むようにすればよく、段積みが可能で荷くずれしにくいため、モータなどの輸送にも好適な梱包容器となる。
【００２０】
このように、折曲と挿入嵌合のみの作業であり、接着剤を使用しないため簡単に包装箱を構成でき、解体や廃棄処理も容易となる。また、段ボールで構成するため地球環境にやさしい梱包容器となる。
【図面の簡単な説明】
【００２１】
【図１】本発明の実施例１における梱包容器の展開図
【図２】本発明の実施例１における梱包容器の組立工程を説明する斜視図
【図３】本発明の梱包容器を多段に重ねるときの嵌合状態の説明図
【符号の説明】
【００２２】
１  底部
２，３  側壁部
４，５  端壁部
６，８  突起部
７，９  嵌合孔部
１０  横フラップ
１１  補強片
１２  係合孔部
１３  孔部
１４  切込線
【図１】
2005239168.tif 000003
【図２】
2005239168.tif 000004
【図３】
2005239168.tif 000005